(57)【特許請求の範囲】
【請求項１】
手袋本体(2)の甲側表面(21)の一領域で、果実収穫の判定基準となる果皮色(9a)に合わせたスポット面状の着色マーク(32)が、手袋本体(2)に係る親指部(25)と人差し指部(26)との付け根周りの股部表面(231)に、一定の帯幅がある楕円型トラック形状をやや屈曲させ、その股部(23)の湾曲に沿う形にして、該付け根を取り囲むように設けられ、且つ該着色マーク(32)が、果実(9)の成熟度に対応させた色違いの着色マーク部分(32a,32b,32c)を三種類並べて形成されることを特徴とする作業用手袋。
【請求項２】
前記手袋本体(2)が、ナイロン製の布地原手(2b)にコーティング膜(2a)を付与したもので、ナイロン糸で編んだ手袋の形をした原手(2b)の手のひら側、及び該手のひらから延設する甲側付近にまで、付着一体化してなるコーティング膜(2a)が設けられるようにした請求項１記載の作業用手袋。
【発明の詳細な説明】
【技術分野】
【０００１】
本発明は、主に果実収穫時に使用される作業用手袋に関する。
【背景技術】
【０００２】
みかんや柿などの果実は、その成熟度と果皮色の色付き度合いとの間に相関がみられ、図１１のようなカラーチャートが農林水産省果樹試験場(現独立法人農業・食品産業技術総合研究機構果樹研究所)によって開発されている。カラーチャートは、長方形の板面に果実の成熟度によって異なる果皮色を段階的に表現した色彩マークがそのカラーチャート本体に貼着されている。共同選果で市場出荷している産地では、統一された品質基準,規格が存在しており、通常、果皮色で果実の成熟度合いを判断して収穫されている。そして、出荷果樹園では果皮色のチエックにこのカラーチャートが広く用いられてきた。
図１２のように収穫しようとする果実にカラーチャートを近づけ、予め決められたカラーチャートに在る収穫基準用指定色とその果皮色とを照合,判定し、適合した果実をもぎ取っていく。
【０００３】
しかし、果実の収穫作業時に該カラーチャートを使う場合、作業者はその都度ポケット等からカラーチャートを出し入れしなければならず煩わしかった。さらに、その形状が板状であるため、樹上の果実の果皮色を測る際、カラーチャートが枝や葉に触れて、目的の果実に当てづらい面も多かった。さらにいえば、この種のカラーチャートは毎年需要が見込まれるような消耗品でなく、需要が一巡すると販売中止になるものが存在した。入手困難な事態に陥ることもあった。
こうしたなか、果実の収穫適否を判定する新たな発明が提案されている（特許文献１）。
【先行技術文献】
【特許文献】
【０００４】
【特許文献１】特開２００７−２５２２６８号公報
【発明の開示】
【発明が解決しようとする課題】
【０００５】
しかるに、特許文献１は、収穫判定基準付き果実袋及び果実傘の発明であり、果実袋や果実傘を必要としない果実に不向きであった。さらに、果実の判定基準のカラーチャートと同じ色彩の着色部を設けた果実袋又は果実傘であり、その着色部は一色しかなく、収穫間近の天候不順等で収穫基準が変更になった場合に即座に対応できない問題があった。
【０００６】
本発明は、上記問題を解決するもので、果実袋及び果実傘を用いることなく、果実収穫時の収穫適否を正しく判断でき、さらに作業性を向上させるのみならず収穫基準が変更になった場合にも迅速対応できる作業用手袋を提供することを目的とする。
【課題を解決するための手段】
【０００７】
上記目的を達成すべく、請求項１に記載の発明の要旨は、手袋本体(2)の甲側表面(21)の一領域で、果実収穫の判定基準となる果皮色(9a)に合わせたスポット面状の着色マーク(32)が、手袋本体(2)に係る親指部(25)と人差し指部(26)との付け根周りの股部表面(231)に、一定の帯幅がある楕円型トラック形状をやや屈曲させ、その股部(23)の湾曲に沿う形にして、該付け根を取り囲むように設けられ、且つ該着色マーク(32)が、果実(9)の成熟度に対応させた色違いの着色マーク部分(32a,32b,32c)を三種類並べて形成されることを特徴とする作業用手袋にある。
請求項１の発明のごとく、着色マーク(32)が、手袋本体(2)に係る親指部(25)と人差し指部(26)との付け根周りの股部表面(231)に設けられると、果実の収穫適否の判定が速やかに且つその判定を見誤ることなく行える。作業者は収穫時にもぎ取ろうとする果実を掴んだ時、その掴んだ果実を着色マークが取り囲むようになり、果皮色と着色マークとの対比確認を誤判断することなく素早く成し得る。手袋本体(2)の甲側表面(21)に、果実(9)の成熟度に対応させた色違いの着色マーク部分(32a,32b,32c)を三種類並べて形成されると、収穫基準が変更になった場合でも迅速対応できる。収穫間近の天候不順等で収穫基準が変更になった場合も即座に対応できる。
着色マーク(32)が、股部表面(231)に、一定の帯幅がある楕円型トラック形状をやや屈曲させ、その股部(23)の湾曲に沿う形にして、該付け根を取り囲むように設けられると、本作業用手袋で果実を掴んだときに、その湾曲に沿う形で設けた着色マークが果実を取り囲むようになり、果皮色と着色マークとの対比を誤認することなく素早く行うことができる。スポット面状の着色マークであるので、その視認も素早くなし得る。収穫判定に適合したらそのまま果実を掴んで収穫でき、作業性向上により一層役立つ作業用手袋になる。果皮色と着色マークとの対比判定を迅速且つ正確に実施でき、さらに、これと同時に収穫作業ができる。作業性向上のみならず収穫可否の誤判定を削減できる画期的な作業用手袋になっている。
請求項２の発明たる作業用手袋は、請求項１で、手袋本体(2)が、ナイロン製の布地原手(2b)にコーティング膜(2a)を付与したもので、ナイロン糸で編んだ手袋の形をした原手(2b)の手のひら側、及び該手のひらから延設する甲側付近にまで、付着一体化してなるコーティング膜(2a)が設けられるようにしたことを特徴とする。
請求項２の発明のごとく、ナイロン糸で編んだ手袋の形をした原手(2b)であると、素手感覚に近くなり、柔軟性を備え、手との密着性,把持性が増す。優しく収穫することが可能になる。また、原手(2b)の手のひら側、及び該手のひらから延設する甲側付近にまで、付着一体化してなるコーティング膜(2a)が設けられると、作業性向上が図られる。果皮の表面には果実油が存在し、収穫の際に滑り易くなっているが、これを防止する。
【発明の効果】
【０００８】
本発明の作業用手袋は、果実袋や果実傘が必要ない果実にあっても、果実収穫時の収穫適否を素早く且つ正確に判断でき、収穫作業の作業性向上に貢献するだけでなく収穫可否の誤判定を大幅削減できるなど優れた効果を発揮する。
【図面の簡単な説明】
【０００９】
【図１】実施形態１における作業用手袋の斜視図である。
【図２】図１の作業用手袋に係る手袋本体と熱転写印刷用型の斜視図である。
【図３】(イ)が熱転写シール材の正面図で、（ロ)が図２の型に装着した手袋本体へ熱転写シール材を当接させる説明斜視図である。
【図４】手袋本体に着色マークを熱転写印刷する説明斜視図である。
【図５】図４のV-V線矢視図である。
【図６】図１の作業用手袋で果実を掴んだ斜視図である。
【図７】図１の作業用手袋で果実の成熟度を判断して収穫する様子を示す説明画像図である。
【図８】作業用手袋を使った場合と使わない場合の対比グラフである。
【図９】参考形態２の作業用手袋の斜視図である。
【図１０】図９の作業用手袋で果実の成熟度を判断している様子を示す説明画像図である。
【図１１】柿用カラーチャートの斜視図である。
【図１２】図１１のカラーチャートを使って、果実の成熟度を判断して収穫する様子を示す説明画像図である。
【発明を実施するための形態】
【００１０】
以下、本発明に係る作業用手袋について詳述する。
（１）実施形態１
図１〜図８は本発明の作業用手袋の一形態で、図１はその作業用手袋の斜視図、図２は図１の作業用手袋に係る手袋本体と熱転写印刷用型の斜視図、図３は(イ)が熱転写シール材の正面図で、（ロ)が図２の型に装着した手袋本体へ熱転写シール材を当接させる説明斜視図である。図４は手袋本体に着色マークを熱転写印刷する説明斜視図、図５は図４のV-V線矢視図、図６は図１の作業用手袋で果実を掴んだ斜視図、図７は図１の作業用手袋で果実の成熟度を判断して収穫する様子を示す説明画像図、図８は作業用手袋を使った場合と使わない場合の対比グラフである。
【００１１】
（１−１）作業用手袋
作業用手袋１は手袋本体２と着色マーク３２とを具備する(図１)。
手袋本体２は農作業等での作業用に使用される手袋で、指一本ずつ覆うようにできているグラブと称されるものである。親指部２５,人差し指部２６,中指部２７,薬指部２８,小指部２９に、五本の指がそれぞれ挿入できる手袋本体２になっている。本発明に係る果樹収穫などの農作業で用いられる手袋本体２は、軍手でもよいが、図２のような手のひら側を滑りにくい素材で形成した複合構造品がより好ましい。ここでの手袋本体２も、布地製原手２ｂにいわゆる背抜き状態でコーティング膜形成用の配合液を付着させて、手の甲側表面２１を布地とし、手のひら表面２２をゴム質とする複合構造品である。この手袋本体２は例えば次のように造られる。
【００１２】
まず、13乃至18ゲージのハイゲージのナイロン糸で編んだ手袋の形をした原手２ｂを造り、次いで、水性ポリウレタンとニトリルゴムを含む配合液に、原手２ｂの手のひら側をディッピングする。その後、引上げて加熱,乾燥させ、図２ごとくの複合構造の手袋本体２が造られる。手首部２４を除き、原手２ｂの手のひら側、及び該手のひらから延設する甲側付近にまで、前記配合液が付着一体化してなる黒色のコーティング膜２ａが設けられる。
果実９の収穫では、素手感覚で果実９に傷をつけずに果実９をもぎ取ることが望まれる。ハイゲージの細い白色系ナイロン糸で編んだ原手２ｂによって素手感覚に近くなり、柔軟性を備え、手ＨＤとの密着性,把持性が増す。優しく収穫することが可能になる。また、手のひら側に前記コーティング膜２ａを形成することによって作業性向上が図られる。果皮の表面には果実油が存在し、収穫の際に滑り易くなっているが、これを防止する。
【００１３】
着色マーク３２は色彩が施された目印片で、果実収穫の判定基準となる果皮色９ａに合わせたスポット面状の着色マーク３２になっている。手袋本体２の甲側表面２１の一領域に、この着色マーク３２が設けられる。着色マーク３２の色彩には、赤味,黄味等の色彩、明るさの度合である明度、色の鮮やかさの度合である彩度の三要素からなる有彩色が選定される。
【００１４】
また、前記着色マーク３２は、手袋本体２の甲側表面２１に、果実９の成熟度に対応させた色違いの面状着色マーク部分３２ａ,３２ｂ,…を複数並べて形成される。果実生産地では、収穫前の気候変動等によって果実９の成熟度が変化し、果実収穫にあたってその判定基準となる果皮色９ａを変更することがある。果実収穫の判定基準となる果皮色９ａを変える事態になっても、果実９の各成熟度に合わせた数段階の複数片からなる色違い着色マーク３２を、手袋本体２の甲側表面２１に設けることで、難なく対応できる。
一方、カラーチャートには色が違う十数種類の色見本を提供するが、生産地や果樹の種類等が特定されると、果実収穫の判定用果皮色９ａに合わせた着色マーク３２は数種類あれば十分機能する。本実施形態は、手袋本体２に係る手の甲側表面２１に、図１のごとく果実９の成熟度に対応させた色違いの着色マーク部分３２ａ,３２ｂ,３２ｃを三種類並べて形成する。カラーチャートにある十数種類の色見本から三種類の色を選定し、これらに対応一致させた第一着色マーク部分３２ａ,第二着色マーク部分３２ｂ,第三着色マーク部分３２ｃの着色マーク３２とする。図１のごとく、各着色マーク部分３２ａ〜３２ｃは、スポット面状にして且つ一片状体である。手袋本体２の甲側表面２１に、三つの着色マーク部分３２ａ〜３２ｃを近接させて一列に並設する。
【００１５】
ここで、果実収穫の判定適否に直接影響を及ぼす着色マーク３２は、手袋本体２の甲側表面２１に設けるにあたって、その色が僅かであっても変化することは許されない。製品ロット間にバラツキがあることも許されない。こうしたことから、本着色マーク３２は後述するように熱転写印刷によって手袋本体２の甲側表面２１に印刷形成される。手袋本体２に、果実収穫の判定基準となる果皮色９ａに合わせたその着色マーク３２の色彩が、熱転写印刷によって色変化なく精度良く形成される。
【００１６】
さらに、前記着色マーク３２は、手袋本体２の甲側表面２１で且つ手袋本体２に係る親指部２５と人差し指部２６との付け根周りの股部表面２３１に設けられる。親指部２５と人差し指部２６との付け根周りの股部表面２３１に、着色マーク３２を設けるのは、果実９の収穫適否の判定が速やかに且つその判定を見誤ることなく行えるからである。作業者は収穫時にもぎ取ろうとする果実９を掴んだ時、その掴んだ果実９を図６のごとく着色マーク３２が取り囲むようになり、果皮色９ａと着色マーク３２との対比確認を誤判断することなく素早く成し得る。
本実施形態の着色マーク３２は、手袋本体２の甲側表面２１に、一定の帯幅がある楕円型トラック形状に設けられる。親指部２５と人差し指部２６との付け根周りの股部表面２３１に、着色マーク３２の該トラック形状が図１のごとくやや屈曲して、その付け根を取り囲む。親指部２５と人差し指部２６に係る股部２３の湾曲に沿う形の着色マーク３２となる。着色マーク３２は、既述のごとく果実収穫の判定適否に直接影響を及ぼし、各製品間に僅かの色彩のバラツキが許されない。さらに、着色マーク３２を設ける該股部表面２３１は、手の股部２３に似せた起伏ある面になっており、手袋本体２への着色が難しくなっている。
そこで、該着色マーク３２を有する作業用手袋１は、熱転写印刷技術を用いた以下のような製法によって形成される。
【００１７】
（２）作業用手袋の製造方法
作業用手袋の製造方法は、その製造に先立ち、手袋本体２と熱転写シール材３と立体型５を作製準備する。
手袋本体２は、既述のごとく白色ナイロン製の布地原手２ｂに黒色のコーティング膜２ａを付与したものである。手の甲側表面２１側を布地のままにする一方、手のひら表面２２側は、該布地に黒色のコーティング膜２ａを付着一体化させた複合構造品とする。
【００１８】
熱転写シール材３は、果実収穫の判定基準となる果皮色９ａに合わせた面状着色マーク３２を逆刷りで印刷したシール材である。基材３１に、果実９の成熟度に対応させた色違いの面状着色マーク部分３２ａ,３２ｂ,…を複数並設する着色マーク３２を逆刷りで印刷した熱転写シール材３が造られる。剥離性を有するシート状基材３１、例えば転写紙３１ａの表面に剥離膜３１ｂを膜形成した基材３１とし、該剥離膜３１ｂの面上に第一着色マーク部分３２ａ,第二着色マーク部分３２ｂ,第三着色マーク部分３２ｃをワンセットにした着色マーク３２が一定間隔で逆刷り印刷される(図３のイ)。
本実施形態は、図５(イ)のような基材３１の剥離膜３１ｂ側の面に、ポリエチレン樹脂からなる感熱接着剤と、顔料等とを配合し、カラーチャートに合わせた第一着色マーク部分３２ａ,第二着色マーク部分３２ｂ,第三着色マーク部分３２ｃ用の混合層ＭＸをそれぞれ形成して熱転写シール材３とする。図５(イ)中、符号εは第一着色マーク部分３２ａと第二着色マーク部分３２ｂ(又は第二着色マーク部分３２ｂと第三着色マーク部分３２ｃ)との仕切り用白色系混合層を示す。これに代えて、例えば図５(ロ)のごとくの熱転写シール材３とすることもできる。図５(ロ)では、基材３１の剥離膜３１ｂの面に、顔料等からなる各着色マーク部分３２ａ〜３２ｃに合わせた色インク層と、感熱接着剤層３３とを積層形成して熱転写シール材３とする。図５(ロ)中、符号βは第一着色マーク部分と第二着色マーク部分(又は第二着色マーク部分と第三着色マーク部分)との仕切り用白色系顔料を含むインク層を示す。
【００１９】
立体型５は、少なくとも親指相当部６５及び人差し指相当部６６と、両者の付け根周りの股相当部６３とを曲面形成した立体的印刷型になっている。本実施形態は、図２のごとく金属製支柱７の上端部にアルミニウム製型本体６を固着した専用立体型５とする。支柱７の上端部に型本体６の手首相当部６４を固着し、該手首相当部６４からこれより先に手の甲相当部６１、さらに股相当部６３,親指相当部６５,人差し指相当部６６を延設する。親指相当部６５と人差し指相当部６６とは図示のごとくＬ字状に開いた格好とする。手袋本体２を手に嵌めた時の立体的形状により近づけ、転写印刷を良好に仕上げるためである。尚、中指,薬指,小指に対応する部位は省略する。特になくても、これだけで手袋本体２を手に嵌めた状態下で、股部表面２３１の立体的形状が得られるからである。
【００２０】
前記手袋本体２と熱転写シール材３と立体型５を用いて、作業用手袋１の製造が行われる。立体型５に被着した手袋本体２へ熱転写シール材３の着色マーク３２を当接させ、その後、加熱,加圧することにより、手袋本体２上に着色マーク３２を転写する。
【００２１】
詳しくは、先ず、手袋挿入口２０を大きくして図２の白抜き矢印のごとく該手袋挿入口２０から手袋本体２を立体型５の型本体６に嵌め入れる。そして、型本体６の股相当部６３に、該手袋本体２に係る親指部２５と人差し指部２６との付け根周りの股部２３を被せる(図３)。親指相当部６５を手袋本体２の親指部２５が覆い、また人差し指相当部６６を手袋本体２の人差し指が覆うが、手袋本体２の中指部２７,薬指部２８,小指部２９は垂れ下がる。
【００２２】
次に、手袋本体２の手首部２４を把持して図３の白抜き矢印方向に引っ張り、手袋本体２(主に原手２ｂ)が伸びる状態にする。実際の果実収穫の使用にあたり、作業用手袋１に手を入れた時に手袋本体２が伸びることを想定し、着色マーク３２が剥離したり、伸びて着色マーク３２の色が薄まったりするのを防止する。斯かる状態を保って、次工程の着色マーク３２が印刷される。
【００２３】
続いて、手袋本体２への着色マーク３２の印刷に入る。印刷するにあたって、手袋本体２の甲側表面２１に熱転写シール材３の着色マーク３２側が対向するよう該熱転写シール材３を配設する。具体的には、図４のごとく手袋本体２の股部表面２３１に、その着色マーク３２側の混合層ＭＸが当接するよう熱転写シール材３を配設する。そして、図４の手袋本体２の手首部２４を把持して白抜き矢印方向に引張り、手袋本体２が伸びる状態を保ったまま、該着色マーク３２に係る基材３１の背面側から熱を加えて、熱転写印刷により股部２３の表面２３１に着色マーク３２を転写形成する。
【００２４】
図５(イ)で、ヒータ付き押し当て部材８は、その本体８１を加温でき、且つその当て面８１ａが股相当部６３の起伏面６３１と同形状になっている。立体型５に嵌めた手袋本体２の股部表面２３１に、着色マーク３２側を対向させて熱転写シール材３を配置,セットする。その後、加温状態にある押し当て部材本体８１を該熱転写シール材３に当て、熱転写シール材３に係る基材３１の背面側から加熱,加圧する熱転写印刷により、股部２３の表面２３１上に着色マーク３２の図柄を転写形成する。熱転写シール材３への押し当て部材８の加熱,加圧は、120〜150℃で約10秒という長い時間を費やす。実際の果実収穫作業において、着色マーク３２の剥がれやその色の変色が起きない品質確保を得るためである。加熱,加圧により、熱転写シール材３の混合層ＭＸが基材３１から剥がれると同時に、該混合層ＭＸ中の感熱接着剤が溶融し、該感熱接着剤と顔料が一体となって手袋本体２の股部表面２３１に接着し、所望の着色マーク３２を印刷完成させる。手袋本体２の股部表面２３１に、果実９の成熟度に対応させた色違いの着色マーク部分３２ａ,３２ｂ,３２ｃを複数(ここでは三個)並べた着色マーク３２を有する作業用手袋１が出来上がる。
【００２５】
こうして、極早生ウンシュウ用と早生ウンシュウ用のミカン収穫に使うための作業用手袋１(図６)を二種類と、図７に見られるような柿収穫に使う作業用手袋１を製造した。柿の作業用手袋１には、カラーチャートの値3、3.5及び4とほぼ同色の着色マーク部分３２ａ,３２ｂ,３２ｃを有する着色マーク３２が、親指部２５と人差し指部２６との付け根周りの股部表面２３１に設けられた。
【００２６】
（３）評価試験
前記作業用手袋１の実用性を調べるため、評価試験を行った。実用性評価は柿に「前川次郎」を用い、樹上果実９の測色作業にかかる時間(試験１)と収穫可否の誤判定率(試験２)で評価した。
試験１では、約30個の果実９を連続して測色する時間を計測した。条件は、調査開始から終了までの間、カラーチャートを手に持ったままの場合と、毎回胸ポケットから出し入れする場合、および柿収穫に使う作業用手袋１を手に嵌めた場合とした。その結果を図８(イ)に示す。
本作業用手袋１は、手に嵌めた状態で収穫可否を判断することができ、また測色作業時、枝葉が邪魔となる遭遇機会が少ない。そのため、本作業用手袋１による測色の作業時間は、カラーチャートを手に持ったままの場合と、胸ポケットから出し入れする場合に対して、収穫作業時間がそれぞれ40％、60％短縮された。
【００２７】
また、試験２では、成熟初期(H22.10.26)の樹上果を用いて、次のように行った。柿収穫初心者Ａ,Ｂが達観により収穫の可否を判定して収穫し(赤道部がカラーチャートで3.5が収穫可)、次いで、カラーチャート使用に慣れている者Ｃがその収穫した柿について、カラーチャートの対応値を読みとった。達観により収穫の可否を判定して収穫するとは、収穫前にカラーチャートで目合わせして確認し、収穫時にはカラーチャートを見ずに収穫の可否を判定して収穫することをいう。
次に、柿収穫初心者Ａ,Ｂが柿収穫に使う作業用手袋１を手に嵌めて、収穫可否を判定して収穫し、次いで、カラーチャート使用に慣れている者Ｃがその収穫した柿について、カラーチャートの対応値を読みとった。
【００２８】
ここで、収穫基準に達していない果実９なのに収穫可能と判断した場合(ケース１)、及び収穫基準に達している果実９であるにもかかわらず収穫不可能と判断した場合(ケース２)を、誤判定とした。こうして得たケース１,２の結果を図８(ロ)に示す。
ケース１の誤判定率は、作業者Ａが13.8％で作業者Ｂが20.0％であったが、作業用手袋１を使用することにより、それぞれ2.8％、0.0％に減少した。ケース２の誤判定率は作業者Ａが9.5％、作業者Ｂが11.5％であったが、作業用手袋１を使用することにより、それぞれ7.1％、5.7％に減少した。収穫可否の誤判定率は、達観で収穫した場合(ケース１と２の合計)は、作業者Ａが12％、作業者Ｂが16％であったが、作業用手袋１を使用することにより両者とも4％に減少した(図８のハ)。
【００２９】
（２）参考形態２
（２−１）作業用手袋１
本参考形態は、図９のような手袋本体２の甲側表面２１の一領域に、果実収穫の判定基準となる果皮色９ａに合わせた着色マーク３２が設けられた作業用手袋１である。図９はその作業用手袋の斜視図、図１０が図９の作業用手袋で果実の成熟度を判断している説明画像図を示す。手袋本体２は手のひら側に実施形態１のような黒色のコーティング膜２ａを設けず、布製原手２ｂがそのまま手袋本体２になる。
熱転写シール材３は、基材３１に果実９の成熟度に対応させた色違いの着色マーク部分３２ａ,３２ｂ,３２ｃを逆刷りで印刷したシール材である。剥離性を有するシート状基材３１の表面に縦一列に並べた第一着色マーク部分３２ａ,第二着色マーク部分３２ｂ,第三着色マーク部分３２ｃをワンセットにした着色マーク３２が、一定間隔で逆刷り印刷される(図３のイ)。
そうして、その手袋本体２に係る親指部２５の甲側表面２１に、該着色マーク３２が設けられる。果実９の成熟度に対応させた色違いの着色マーク部分３２ａ,３２ｂ,３２ｃを複数(ここでは三個)有する着色マーク３２とし、これら着色マーク部分を並設する。親指部２５の甲側表面２１で、親指部２５の付け根からその指部が伸びる方向に向けて、着色マーク部分３２ａ,３２ｂ,３２ｃを縦一列に並べる。各着色マーク部分は正方形で、複数並設してなる着色マーク３２の全体形状は図示のごとく略長方形の形をしている。他の構成は実施形態１と同様で、その説明を省く。実施形態１と同一符号は同一又は相当部分を示す。
【００３０】
（２−２）作業用手袋の製造方法
本作業用手袋の製造方法は、実施形態１と同様、基材３１に着色マーク３２を逆刷り印刷された熱転写シール材３に係る着色マーク３２を、手袋本体２へ対向,当接させ、その後、加熱,加圧することにより、手袋本体２上に着色マーク３２を転写する。前記手袋本体２と前記熱転写シール材３とを備えるが、実施形態１のような立体型５を準備しない。代わりに金属製平板Ｆを準備する。
該金属製平板Ｆ上に、手袋本体２を置き、例えば図９のごとく親指部２５の甲側表面２１が上を向いた状態にして、該親指部２５を手のひら側へ折り重ねる。次いで、手袋本体２の甲側表面２１に着色マーク３２側が対向するよう熱転写シール材３を配設する。その後、着色マーク３２に係る基材３１の背面側から熱を加えて、熱転写印刷により手袋本体２の表面にその着色マーク３２を転写形成し、図９ごとくの所望の作業用手袋１を製造する。他の構成は実施形態１と同様で、その説明を省く。実施形態１と同一符号は同一又は相当部分を示す。
【００３１】
（３）効果
このように構成した作業用手袋１は、手袋本体２の甲側表面２１の一領域に、果実収穫の判定基準となる果皮色９ａに合わせた着色マーク３２が設けられるので、カラーチャートを手に持つ必要がない。収穫作業にあたっては殆どの場合、手袋が使用される。その作業用手袋１に着色マーク３２を設けることで、その都度ポケット等からカラーチャートを出し入れしなければならなかった煩わしさから開放される。さらに、樹上の果実９の果皮色９ａを測る際、カラーチャートが枝や葉に触れて、目的の果実９に当てづらいといった困難さからも開放される。収穫時に本作業用手袋１を嵌めることにより、収穫動作の範囲内で果皮色の判定評価ができる。勿論、収穫後の選果作業時にも、本作業用手袋１を嵌めることにより果皮色の判定評価が可能になる。
評価試験の試験１からも明らかなように、本作業用手袋１は携帯性,操作性の点でカラーチャートよりも格段に優れる。また、特許文献１のごとく果実袋や果実傘を必要としないミカンや柿のような果実９にも幅広く適用できる優れものになっている。着色マーク３２は甲側表面２１の一領域にスポット面状に設けるので、手袋本体２の全面に施す場合に比べて低コストで生産できる。
【００３２】
また、手袋本体２の甲側表面２１に、着色マーク３２が果実９の成熟度に対応させた色違いの着色マーク部分３２ａ,３２ｂ,…を複数並べて形成されると、収穫基準が変更になった場合でも迅速対応できる。収穫間近の天候不順等で収穫基準が変更になった場合も即座に対応できる。特許文献１の発明は着色部が一色しかなく、適熟果の色の年次変動に対応できないし、また収穫直前等で変更になった場合に対応できないが、本発明によればこうした事態も円滑対応できる。その一方で、カラーチャートのように十数種類なくても、通常の果樹園生産地では、それに合った数種類の色違いの着色マーク部分３２ａ,３２ｂ,…があれば足りる。本色違い着色マーク部分３２ａ,３２ｂ,…を数種類備える作業用手袋１はその実用性が高い。
【００３３】
さらに、着色マーク３２が、手袋本体２に係る親指部２５と人差し指部２６との付け根周りの股部表面２３１に設けられると、本作業用手袋１で果実９を掴んだときに、図６,図７のごとく股部２３の湾曲に沿う形で設けた着色マーク３２が果実９を取り囲むようになり、果皮色９ａと着色マーク３２との対比を誤認することなく素早く行うことができる。スポット面状の着色マーク３２であるので、その視認も素早くなし得る。図９の親指部２５に着色マーク３２を設けた作業用手袋１でもよいが、斯かる場合、図１０のような姿態で果皮色９ａと着色マーク３２との対比を行った後、収穫判定に適合したら果実９を掴みなおしてその果実９をもぎ取らねばならない。これに対し、着色マーク３２が図６,図７のごとく手袋本体２の股部表面２３１に設けられると、収穫判定に適合したらそのまま果実９を掴んで収穫でき、作業性向上により一層役立つ作業用手袋１になる。果皮色９ａと着色マーク３２との対比判定を迅速且つ正確に実施でき、さらに、これと同時に収穫作業ができる。作業性向上のみならず収穫可否の誤判定を削減できる画期的な作業用手袋１になっている。評価試験の試験２からも明らかなように、本作業用手袋１は収穫時の誤判定が極めて少なくなる。
【００３４】
加えて、作業用手袋の製造方法において、手袋本体２の甲側表面２１にその着色マーク３２側が対向,当接するよう該熱転写シール材３を配設し、次に、該着色マーク３２に係る基材３１の背面側から熱を加えて、熱転写印刷により手袋本体２の表面にその着色マーク３２を転写形成すると、塗装等による着色マーク３２の形成に比べ、果皮色９ａに対応させる色彩について、より精度の高いものが得られる。量産になっても、ロット間のバラツキもなくすことができる。剥離性を有する基材３１に、果実収穫の判定基準となる果皮色９ａに合わせた面状着色マーク３２を逆刷りで印刷した熱転写シール材３を用いれば、予め果皮色９ａに色合わせした着色マーク３２のその色を、手袋本体２に確実且つ正確に印刷できる。また、手袋本体２を共通化でき、熱転写シール材３だけを種々備えるだけで、在庫をさほどもたずに市場のさまざまなニーズに対応できる。
【００３５】
さらに、実施形態１の立体型５を備え、手袋本体２を該立体型５に嵌めると、手袋本体２の股部２３が、作業用手袋１を手に嵌めた際の股部２３に似せた立体型５の起伏ある股相当部６３にぴったり当接するので、本来着色が難しいとされる起伏のある股部表面２３１でも、次工程の熱転写印刷により着色マーク３２の転写形成が綺麗に仕上がる。転写する箇所が手袋本体２の股部２３で起伏があり、着色マーク３２を単に転写するだけでは、シワ等ができ転写が上手くいかない虞があるが、上記立体型５を備えてこれを克服する。
さらにいえば、立体型５に嵌めた手袋本体２を図４の白抜き矢印方向に引張り、手袋本体２が伸びた状態で熱転写印刷するので、実際の収穫作業で本作業用手袋１を手ＨＤに嵌め、手袋本体２が伸びた状態になっても、その伸びで着色マーク３２が剥離したり着色マーク３２の色が薄まったりといった事態も回避できる。耐久性に富み、品質安定した作業用手袋１が出来上がる。
このように、本作業用手袋１は、果実収穫時の収穫適否を的確に判断できるばかりか、従来になく収穫時の作業性向上を果たし、さらに着色マーク３２の品質安定化を図るなど、極めて有益である。
【００３６】
尚、本発明においては前記実施形態に示すものに限られず、目的,用途に応じて本発明の範囲で種々変更できる。手袋本体２,着色マーク３２,熱転写シール材３等の形状,大きさ,個数,材質等は用途に合わせて適宜選択できる。実施形態では、手袋本体２を標準Ｍサイズとしたが、Ｌサイズ,Ｓサイズ用の手袋本体２,立体型５を準備すれば、実施形態と同様の製法で、サイズが違う作業用手袋も同様に作製できる。
【符号の説明】
【００３７】
１            作業用手袋
２            手袋本体
２ａ          コーティング膜
２ｂ          原手
２０          手袋挿入口
２１          甲側表面
２３          股部
２３１        股部表面（親指部と人差し指部との付け根周りの股部表面）
２５          親指部
２６          人差し指部
３            熱転写シール材
３１          基材
３２          着色マーク
３２ａ        着色マーク部分（第一着色マーク部分）
３２ｂ        着色マーク部分（第二着色マーク部分）
３２ｃ        着色マーク部分（第三着色マーク部分）
５            立体型
６３          股相当部
６５          親指相当部
６６          人差し指相当部
９            果実
９ａ          果皮色
【図１】
0005277239.tif 000002
【図２】
0005277239.tif 000003
【図３】
0005277239.tif 000004
【図４】
0005277239.tif 000005
【図５】
0005277239.tif 000006
【図６】
0005277239.tif 000007
【図８】
0005277239.tif 000008
【図９】
0005277239.tif 000009
【図７】
0005277239.tif 000010
【図１０】
0005277239.tif 000011
【図１１】
0005277239.tif 000012
【図１２】
0005277239.tif 000013